(57)【要約】【課題】コンテナー類において、棚部材の支持高さを前後で変えて棚部材の傾斜角度を自由に選択できるようにする。【解決手段】棚部材２０の支持のために、左右方向又は前後方向の係止ピン１９、２１を棚部材の前後左右に設置し、上記係止ピンを掛け止める係止部２２、２３を、複数箇所、上下に間隔を空けて本体１３の前後左右に、係止ピンの配置に合わせて設置し、棚部材の支持高さを変えて棚部材を傾斜させるために、想定した傾斜における前後の係止部間隔に対して、前後の係止ピンの長さを大きく設定し、棚部材の前後方向への抜け止め部を係止ピン又は係止部の少なくとも一方に設ける。【選択図】          図６
2014113411.tif 000002
【特許請求の範囲】
【請求項１】
内部を収容空所とする本体と、上記収容空所に配置される棚部材とを備え、棚部材を、本体に着脱可能に支持させた構成を有するコンテナー類において、
棚部材の支持のために、左右方向又は前後方向の係止ピンを棚部材の前後左右に設置し、
上記係止ピンを掛け止める係止部を、複数箇所、上下に間隔を空けて本体の前後左右に、係止ピンの配置に合わせて設置し、
棚部材の支持高さを変えて棚部材を傾斜させるために、想定した傾斜における前後の係止部間隔に対して、前後の係止ピンの長さを大きく設定し、
棚部材の前後方向への抜け止め部を係止ピン又は係止部の少なくとも一方に設けた
コンテナー類における棚部材支持装置。
【請求項２】
棚部材は、左右方向の前部係止ピンと、前後方向の後部係止ピンを有しており、
本体には、前部係止ピンを掛け止めるほぼＪ字型の前部係止部と、後部係止ピンを前後に移動可能に挿通して掛け止められる後部係止部とを有しており、
ほぼＪ字型の前部係止部は、棚部材の前後方向への抜け止め部を構成している
請求項１記載のコンテナー類における棚部材支持装置。
【請求項３】
棚部材は、後部係止ピンとして前後方向に長い係止ピンを有しており、
本体には、後部係止ピンを前後に挿通して掛け止められる後部係止部を有している
請求項２記載のコンテナー類における棚部材支持装置。
【請求項４】
棚部材は、後部係止ピンとして左右方向に長い係止ピンを有しており、
本体には、後部係止ピンを左右に挿通して掛け止められる後部係止部を有している
請求項２記載のコンテナー類における棚部材支持装置。
【発明の詳細な説明】
【技術分野】
【０００１】
本発明は、内部を収容空所とする本体と、上記収容空所に配置される棚部材とを備え、棚部材を、本体に着脱可能に支持させた構成を有するコンテナー類における棚部材支持装置に関するものである。
【背景技術】
【０００２】
物流業界では各種の運搬用或いは保管用等のコンテナー類が使用され、四角い箱型のいわゆるコンテナー、四角い枠を持ち、内部に複数個の棚板を上下に間隔を設けて配置したパレット、ラック（物品載置用の棚）を備えた車輪付きコンテナー等が使用されている。本発明におけるコンテナー類とは上記各種のものを包括した概念であるが、この種のコンテナー類に供えられている棚板は、上下の棚部材の間隔（取り付けピッチ）を変更することは可能である。なお、本出願人会社はラック付きのコンテナーとしてラックテナーと名付けた製品等を開発し、特許を取得するとともに製造販売して来たものである。
【０００３】
これに対し、棚板を、水平な状態だけではなく傾斜状態に配置することについて、要求される場合がある。棚板を傾斜させることは、保管棚としてだけではなく、ディスプレイ用途に使用するケース等において生じることである。しかし、傾斜させることができる棚板を持つコンテナー類は一般的ではなく、市場において入手できる状態にはない。なお、折り畳む際に傾斜する棚板を持つものが公知であるとしても、折り畳み構造の棚板は本体に軸で結合されているから、そのような構造を着脱式の棚板に転用することはできない。
【０００４】
そこで先行技術を調査したところ、特開２０００−３１６６４２号が見出された。これは棚板の前後両端に係止爪を設け、上部傾斜縁を有する扇状部と下部傾斜縁を有する逆扇状部から成る係止孔に上記係止爪を係止させて、ガタツキなく強固に架設することができるとされている。しかし、このような架設構成を取るということは、水平架設時には係止孔の最遠距離にて係止し、傾斜仮設時には係止孔の最近接距離にて係止することであるので、ただ一つの傾斜状態を取れるのみの融通が効かないものとなる。
【０００５】
【特許文献１】特開２０００−３１６６４２号
【発明の開示】
【発明が解決しようとする課題】
【０００６】
本発明は前記の点に鑑みなされたもので、その課題は、コンテナー類において、棚部材の支持高さを前後で変えて棚部材の傾斜角度を自由に選択できるようにすることである。また、本発明の他の課題は、装置を提供することである。
【課題を解決するための手段】
【０００７】
前記の課題を解決するため、本発明は、内部を収容空所とする本体と、上記収容空所に配置される棚部材とを備え、棚部材を、本体に着脱可能に支持させた構成を有するコンテナー類において、棚部材の支持のために、左右方向又は前後方向の係止ピンを棚部材の前後左右に設置し、上記係止ピンを掛け止める係止部を、複数箇所、上下に間隔を空けて本体の前後左右に、係止ピンの配置に合わせて設置し、棚部材の支持高さを前後で変えて棚部材を傾斜させるために、想定した傾斜における前後の係止部間隔に対して、前後の係止ピンの長さを大きく設定し、棚部材の前後方向への抜け止め部を係止ピン又は係止部の少なくとも一方に設けるという手段を講じたものである。
【０００８】
本発明のコンテナー類は、前記の通りいわゆるパレット、ラック（物品載置用の棚）を備えた車輪付きコンテナー、当社のラックテナー等の、主として物流に用いられるものを対象とする。このコンテナー類に不可欠の構成は、内部を収容空所とする本体と、上記収容空所に配置される棚部材とを備えることであり、棚部材は、前後で本体に着脱可能に支持されているという構成である。なお、棚部材は棚板とは限らず、例えば、コロコンベアを備えたものなど様々なものがあり、どのようなものも対象になる。
【０００９】
本発明に係る棚部材支持装置では、棚部材の支持のために、左右方向又は前後方向の係止ピンを棚部材の前後左右に設置する。係止ピンを設置する位置について、棚部材の前後左右という場合、棚部材が長方形でその四隅付近の位置を想定するが、そのケースが一般的であるとしてもその位置に限定されるものではない。例えば、前部係止ピンは左右２個あるが、後部係止ピンは１個のみの場合又はその逆の如く任意に設計することができる。
【００１０】
また、本発明では、係止ピンを掛け止める係止部を、複数箇所、上下に間隔を空けて本体の前後左右に、係止ピンの配置に合わせて設置する。複数箇所とは、１個の棚部材の係止のための複数箇所から成る係止部であるから、上下に間隔をあけて設置する係止部は、一段ごとに複数箇所設けられる。本発明の目的の一つは棚部材を水平状にも傾斜状にも、さらには傾斜状態を緩急変化させることも可能にすることにある。よって、複数箇所から成る係止部は上下に多段階に設置される。
【００１１】
上記棚部材の支持高さを変えて棚部材を傾斜させるために、想定した傾斜における前後の係止部間隔に対して、前後の係止ピンの長さを大きく設定し、かつ、棚部材の前後方向への抜け止め部を係止ピン又は係止部の少なくとも一方に設けるものとする。前後の係止部間隔よりも前後の係止ピンの長さを大きく設定することで、水平時と傾斜時におけるピンの係止位置を吸収するものである。抜け止め部はその形態によって異なるが、最小の場合一箇所で足りることもあるであろう。
【００１２】
棚部材は、左右方向の前部係止ピンと、前後方向の後部係止ピンを有し、本体には、前部係止ピンを掛け止めるほぼＪ字型の前部係止部と、後部係止ピンを前後に移動可能に挿通して掛け止められる後部係止部とを有しており、ほぼＪ字型の前部係止部は、棚部材の前後方向への抜け止め部となるという構成は望ましいものである。ほぼＪ字型という形状はフックのように作用して抜け止めの作用をする。
【００１３】
本発明の装置は、係止ピンの向きによって２種類に大別される。一種は、棚部材が、後部係止ピンとして前後方向に長い係止ピンを有し、本体は、後部係止ピンを前後に挿通して掛け止められる後部係止部を有している構成である。もう一種は、棚部材が、後部係止ピンとして左右方向に長い係止ピンを有し、本体には、後部係止ピンを左右に挿通して掛け止められる後部係止部を有している構成である。
【発明の効果】
【００１４】
本発明は以上のように構成され、かつ作用するものであるから、棚部材を水平状にも傾斜状にも設定することができ、さらには、棚部材の支持高さを前後で変えて傾斜状態を緩急変化させ、棚部材の傾斜角度を自由に選択することができるという効果を奏する。本発明ではさらに、棚部材の傾斜時に不可欠の抜け止めを係止部に設けているので、構成が簡潔になり、かつ、確実な抜け止めが行なえる。
【発明を実施するための最良の形態】
【００１５】
以下図示の実施形態を参照して本発明をより詳細に説明する。図１は本発明に係る棚部材支持装置１１を適用したコンテナー類１０の例１を示すもので、これは台車１２の上に直方体型の枠状本体１３を設けたものである。その枠状本体１３は、台車１２の四隅に前部柱体１４Ｆ、１５Ｆと後部柱体１４Ｂ、１５Ｂをそれぞれ配置し、かつ、それらを前後左右の囲み枠１６にて結合した構成を有している。
【００１６】
１２ａは車輪で、台車１２に設けられており、１３ａはシューで、各柱体１４Ｆ〜１５Ｂに設けられている。各柱体１４Ｆ〜１５Ｂの上端は前後左右の囲み枠１６よりも上に突き出しており、コンテナー類１０を積み重ね時に上位のコンテナー類１０のシュー１３ａが載置されるように構成されている。１７は前後のカバーであり、それぞれの上部にて枠状本体１３に取り付けられ、開閉することができる。１８は左右のカバーであり、枠状本体１３左右両側面に取り付けられている。このようなコンテナー類１０にあっては、枠状本体１３の内部が収容空所となるので、この収容空所に棚部材２０が配置される。
【００１７】
棚部材２０として複数個用意されており、１個１個の棚部材２０は左右の柱体１４Ｆ、１５Ｆ又は１４Ｂ、１５Ｂの間隔と同程度の左右の長さと、前後の柱体１４Ｆ、１４Ｂ又は１５Ｆ、１５Ｂの間隔と同程度の前後の長さを有する。それらの棚部材２０の支持のために、左右方向の前部係止ピン１９と前後方向の後部係止ピン２１を、棚部材２０の前後左右に設置している。前部係止ピン１９は左右方向に伸びたピン軸構造のものである。これらの前部係止ピン１９は、図５に示したように、鍔状の突端部１９ａ、丸頭状の突端部１９ｂ、カギ型の突端部１９ｃ等を有していることが望まれる。棚部材２０の形態は図７に例２として示した通り、ほぼ正方形に近い縦長の平面形状のもの等、各種選択し得る。なお、図７は外枠と主要な梁材だけを示したもので、実際には、各種の材料を用いて棚として形成されるほか、コロを多数配置してコンベア機能を持たせるなど、供えられる構造には用途に応じて変更が加えられる。
【００１８】
さらに、上記係止ピン１９、２１を掛け止める係止部２２、２３が、複数箇所、上下に間隔を空けて上記枠状本体１３の前後左右に、係止ピン１９、２１の配置に合わせて設置される。前部係止部２２は、前部係止ピン１９、２１を掛け止めるために、例えば、ほぼＪ字型に形成されている（図４Ａ参照）。故に、ほぼＪ字内部の係止溝２２ａは、係止される前部係止ピン１９、２１の前後左右への移動を拘束するので抜け止め部を構成する。なお、前部係止部２３は、左右で対称の構造に形成されるので、右側の係止ピン１９について具体的かつ詳細に説明し、左側については必要の生じた都度詳細な説明を補充する。
【００１９】
後部係止部２３は、後部柱体１４Ｂ、１５Ｂに係止溝２２ａと同じ間隔で上下に設置されており（図４Ｂ参照）、図示のものは、円形の後部係止ピン２１よりもやや大径に形成された円形開口として設けられている。その口径は、棚部材２０の傾斜載置のために後部係止ピン２１を斜めに挿入し易いようにやや大径に形成されている。また、特定の高さ位置の後部係止部２３には周囲を赤丸等で囲むなどして目印２４を設け、水平に配置する場合の位置を視覚的に把握できるように企図している。従って、同様の目印を前部柱体にも設けることが望まれる。
【００２０】
図６は、前部係止ピン１９、２１を掛け止める前部係止部２５として、ほぼＪ字型ではなく、傾斜した係止溝２５ａを有するように形成しても、同様の作用、効果を奏することを示す。これは、左右方向の前部係止ピン１９と、前後方向の後部係止ピン２１を有している本発明の例１における変形例であり、前方から前部係止ピン１９を係止溝２５ａに係止することで簡単に取り付けられ、かつ、前方への移動を拘束し得る抜け止めが得られる構成の例である。上記係止ピン１９、２１を掛け止めるための前部係止部２２及び後部係止部２３は、それぞれのピッチをなるべく小さく設定した方が、緩傾斜も急傾斜も、より容易に設定できる。
【００２１】
上記例１及びその変形例の棚部材支持装置１１では、枠状本体１３の内部の収容空所に棚部材２０を指し入れるとともに、棚部材２０の前部係止ピン１９を前方から係止溝２２ａ、２５ａに係止し、かつ、後部係止ピン２１を後部係止部２３に挿入することで、棚部材２０を収容空所に配置することができる（図１、図２参照）。さらに、本発明の装置１１において棚部材２０を傾斜配置するには、上記係止ピン１９、２１のどちらか一方の高さ位置を変更すれば良い。図３に示されている３個の棚部材２０の内で、下の２個の棚部材２０はそのようにして傾斜配置させたものであるが、前部係止ピン１９を後部係止ピン２１よりも低く傾斜させたときにも、またその逆のときにも、前部係止部２２、２５が前後方向への抜け止め部となることが分かる。
【００２２】
このような本発明の例１及びその変形例の棚部材２０が、後部係止ピン２１として前後方向に長い係止ピンを有しているのに対して、後部係止ピン２６として左右方向に長い係止ピンを有しているものを本発明における実施形態の例２として説明する。例２の場合、枠状本体１３は、後部係止ピン２６を左右に挿通して掛け止められるように後部柱体１５Ｂに設けた、後部係止部２７を有している（図８参照）。後部係止部２７は、ほぼＵ字型を前方へ横倒した形態を持ち、後部係止ピン２６を前方から受け入れるとともに、その支持高さを変えて棚部材２０を傾斜させるために、想定した傾斜における前後の係止部間隔に対応するように、後部係止部２７の長さを大きく設定している。
【００２３】
しかしながら、前部係止ピン１９については、例１の場合或いはその変形例の場合と同様で良く、ほぼＪ字型の前部係止部２２或いは傾斜した係止溝２５ａを有する前部係止部２５と組み合わされる。故に、前部係止ピン１９は、図９に示したように、鍔状の突端部１９ａ、丸頭状の突端部１９ｂ、カギ型の突端部１９ｃ等を有していることが望まれる。なお、例１の棚部材２０は横長の平面形状を有するが、図７に示した例２の棚部材２０ではほぼ正方形の平面形状であり、形態は任意に選択可能である。その場合、棚部材２０の傾斜は相互の上下間隔と縦横の比率によって変わるので、この点も考慮に入れて傾斜度合いを設定する。
【００２４】
上記のように、本発明のコンテナー類における棚部材支持装置によれば、前部係止ピン１９又は後部係止ピン２１のどちらか一方の高さ位置を変更することによって、取り付けピッチに応じた傾斜度合いに容易に棚部材２０を設定することができる。棚部材２０は、ネジ止めの必要なくして自在に傾斜度を変更し、しかも、抜け出す恐れが無いため、保管用の棚としてのみならず、シューター等の作業機能を備えた保管棚として、或いはディスプレイに適した保管棚として使用できるなど広範な用途が期待される。
【図面の簡単な説明】
【００２５】
【図１】本発明に係るコンテナー類における棚部材支持装置の例１を示すもので、Ａは平面図、Ｂは正面図である。
【図２】同上の装置の側面図である。
【図３】同上における棚部材の設置状態を示す側面図である。
【図４】同上における棚板支持装置の例１を示すもので、Ａは部分側面図、Ｂは部分正面図である。
【図５】同じく三種の係止ピンＡＢＣを示す正面説明図である。
【図６】同じく例１の変形例を示す部分側面図である。
【図７】同じく棚部材の例２を示すもので、Ａは平面図、Ｂは正面図、Ｃは側面図である。
【図８】同上における棚板支持装置の例１を示す部分側面図である。
【図９】同じく三種の係止ピンＡＢＣを示す正面説明図である。
【符号の説明】
【００２６】
１０  コンテナー類
１１  棚部材支持装置
１２  台車
１３  枠状本体
１４Ｆ、１５Ｆ  前部柱体
１４Ｂ、１５Ｂ  後部柱体
１６  囲み枠
１７  前後のカバー
１８  左右のカバー
１９  前部係止ピン
２０  棚部材
２１、２６  後部係止ピン
２２、２５  前部係止部
２３、２７  後部係止部
２４  目印
【図１】
2014113411.tif 000003
【図２】
2014113411.tif 000004
【図３】
2014113411.tif 000005
【図４】
2014113411.tif 000006
【図５】
2014113411.tif 000007
【図６】
2014113411.tif 000008
【図７】
2014113411.tif 000009
【図８】
2014113411.tif 000010
【図９】
2014113411.tif 000011